(57)【要約】【課題】部品数を増やすことなく、かつ容易に複数の付加装置を動作可能とする。【解決手段】複合装置３０は、印刷装置１０にＯＨＷ２６と機能拡張ＲＯＭ３２を装着して形成する。機能拡張ＲＯＭには、印刷装置の機種、ＯＨＷの種類、機種に応じたＯＨＷ制御プログラムが記憶されており、印刷装置とＯＨＷに合致したＯＨＷ制御プログラムによってＯＨＷ制御部５０が構築される。これにより、複数のＯＨＷを装着したときにも、一つの機能拡張ＲＯＭによって動作可能となるようにしている。また、機能書拡張ＲＯＭに記憶されていないＯＨＷ制御プログラムを取得することにより、このＯＨＷ制御プログラムを機能拡張ＲＯＭに書き込んで、ＯＨＷ制御部を構築することも可能となっている。【選択図】        図５
2004284272.tif 000002
【特許請求の範囲】
【請求項１】
画像形成処理を行うと共に、付加装置が装着されることにより、装着された付加装置に応じた機能を付加可能な画像形成装置であって、
前記付加装置が装着可能な前記画像形成装置の機種のそれぞれに対する、付加装置の種類及び機種毎の制御プログラムを記憶し、付加装置と共に装着される不揮発性メモリと、
前記付加装置に対して前記画像形成装置自体を特定可能な識別情報を設定する装置識別情報設定手段と、
装着された前記付加装置と前記識別情報に基づいて、付加装置が適正に制御される制御プログラムを前記不揮発性メモリから選択する選択手段と、
前記選択手段によって選択された前記制御プログラムに基づいて前記付加装置を制御する付加装置制御手段と、
を含むことを特徴とする画像形成装置。
【請求項２】
前記付加装置ないし前記不揮発性メモリが装着されているか否かを検出する検出手段と、
前記検出手段の検出結果から前記付加装置が装着されていることを検出することにより前記識別情報設定手段及び前記選択手段を作動させる起動手段と、
を含むことを特徴とする請求項１に記載の画像形成装置。
【請求項３】
前記起動手段が所定のタイミングで前記検出手段を作動させることを特徴とする請求項２に記載の画像形成装置。
【請求項４】
前記不揮発性メモリに未記憶の制御プログラムを取得する取得手段と、
前記取得手段によって取得した前記制御プログラムを前記不揮発性メモリに前記制御プログラムを書き込む書込み手段と、
を含むことを特徴とする請求項１から請求項３の何れか１項記載の画像形成装置。
【発明の詳細な説明】
【０００１】
【発明の属する技術分野】
本発明は、スキャナユニットなどのオプションハードウェアを付加装置として装着することにより所謂複合機として動作可能となる画像形成装置に関する。
【０００２】
【従来の技術】
画像形成装置には、例えばネットワーク接続されたパーソナルコンピュータなどの情報処理端末から入力される印刷命令等に基づいて印刷処理を行う印刷装置などがある。このような画像形成装置では、情報処理端末から入力されるデジタルデータに対して、各種の画像処理を施すことができると共に、印刷出力装置によって処理結果を各種サイズなどの記録紙に印刷して出力する。
【０００３】
このような画像形成装置では、例えばスキャナユニットなどのオプションハードウエアを付加装置として装着することにより、スキャナや複写装置などの所謂複合機の構成が可能となっており、さらに、オプションハードウエアとしてファクシミリ通信ユニットなどを装着することにより、ファクシミリ機能を合わせ持たすことができる。
【０００４】
ところで、画像形成装置を複合機として使用するためには、スキャナなどのオプションハードウエアと共に、追加したオプションハードウエアを画像形成装置によって適正に作動させるための制御プログラムを記憶させたＲＯＭを装着する必要がある。このときのＲＯＭには、オプションハードウエアの種類及び機種と、このオプションハードウエアを装着する画像形成装置の機種に応じた制御プログラムが記憶されている。このようなＲＯＭを装着するためのソケット等は、画像形成装置に装着可能なオプションハードウエアの数だけ、予め画像形成装置に持たせておく必要がある。
【０００５】
ここから、予め画像形成装置に機能拡張用に追加するオプションハードウエアの制御プログラムを記憶するための不揮発性メモリを設けておき、画像形成装置にオプションハードウエアを追加したときに、追加したオプションハードウエアに対する制御プログラムを、この不揮発性メモリに書き込むことが提案されている（例えば、特許文献１参照。）。
【０００６】
これにより、一つの不揮発性メモリに、複数のオプションハードウエア用の制御プログラムを格納することができるので、メモリ用のスロットも一つですむようになっている。
【０００７】
【特許文献１】
特開平９−２００４０３号公報
【０００８】
【発明が解決しようとする課題】
しかしながら、例えば複数台の画像形成装置を備えているときに、それぞれの画像形成装置で同じ付加装置（オプションハードウエア）ないし異なる付加装置を装着しようとしたときには、それぞれの画像形成装置において、追加する付加装置用の制御プログラムを不揮発性メモリに書き込む必要があり、単に画像形成装置に不揮発性メモリを装着するよりも煩雑な作業が要求される。
【０００９】
本発明は上記事実に鑑みてなされたものであり、付加装置の装着が容易であると共に、複数の付加装置を装着するときに複数の不揮発性メモリを不要となる画像形成装置を提案することを目的とする。
【００１０】
【課題を解決するための手段】
上記目的を達成するために本発明は、画像形成処理を行うと共に、付加装置が装着されることにより、装着された付加装置に応じた機能を付加可能な画像形成装置であって、前記付加装置が装着可能な前記画像形成装置の機種のそれぞれに対する、付加装置の種類及び機種毎の制御プログラムを記憶し、付加装置と共に装着される不揮発性メモリと、前記付加装置に対して前記画像形成装置自体を特定可能な識別情報を設定する装置識別情報設定手段と、装着された前記付加装置と前記識別情報に基づいて、付加装置が適正に制御される制御プログラムを前記不揮発性メモリから選択する選択手段と、前記選択手段によって選択された前記制御プログラムに基づいて前記付加装置を制御する付加装置制御手段と、を含むことを特徴とする。
【００１１】
この発明によれば、機種の異なる画像形成装置のそれぞれで、種類及び機種の異なる付加装置を制御可能となるように、不揮発性メモリに複数の制御プログラムを予め記憶させる。すなわち、機種の異なる画像形成装置の何れにおいても、付加装置の種類及び機種に応じて、付加装置を適正に制御可能となるように複数の制御プログラムを不揮発性メモリに記憶させておく。
【００１２】
また、装置識別情報設定手段は、画像形成装置の機種を特定可能な識別情報を設定する。
【００１３】
選択手段は、付加装置が装着された画像形成装置の識別情報と、装着された付加装置に合致する制御プログラムを不揮発性メモリから選択し、選択した制御プログラムに基づいて付加装置を制御する。
【００１４】
これにより、複数の付加装置を装着したときにも、一つの不揮発性メモリを装着するだけで済む。また、付加装置を装着したときに、制御プログラムの書き込みが不要となるので、付加装置の装着が容易となる。
【００１５】
請求項２に係る発明は、前記付加装置ないし前記不揮発性メモリが装着されているか否かを検出する検出手段と、前記検出手段の検出結果から前記付加装置が装着されていることを検出することにより前記識別情報設定手段及び前記選択手段を作動させる起動手段と、を含むことを特徴とする。
【００１６】
この発明によれば、装着された付加装置と不揮発性メモリの何れか少なくとも一方を検出手段が検出することにより、検出した付加装置に合致する制御プログラムの選択を行って、付加装置を使用可能とする。
【００１７】
これにより、自動的に付加装置が使用可能となるようにできる。
【００１８】
請求項３に係る発明は、前記起動手段が所定のタイミングで前記検出手段を作動させることを特徴とする。
【００１９】
この発明によれば、一つの不揮発性メモリに複数の制御プログラムを記憶させておいても、例えば、画像形成装置を使用するための電源投入時などの予め設定されたタイミングで、付加装置が作動可能となるようにすることができる。
【００２０】
請求項４に係る発明は、前記不揮発性メモリに未記憶の制御プログラムを取得する取得手段と、前記取得手段によって取得した前記制御プログラムを前記不揮発性メモリに前記制御プログラムを書き込む書込み手段と、を含むことを特徴とする。
【００２１】
この発明によれば、例えば既に不揮発性メモリが装着されているときに、新たな付加装置を装着しようとしたときなどに、新たに装着する付加装置に合致する制御プログラムが不揮発性メモリに記憶されていないことがある。
【００２２】
このようなときに、必要な不揮発性メモリを取得することにより、新たな不揮発性メモリを装着することなく、新たに装着する付加装置を適切に作動させることができる。
【００２３】
【発明の実施の形態】
以下、図面を参照しながら本発明の実施の形態を説明する。図１には、本実施の形態に画像形成装置として適用した印刷装置１０を設けたネットワーク１２の概略構成を示している。このネットワーク１２には、１台以上の印刷装置１０が接続可能となっている。なお、本実施の形態では、一例として２台の印刷装置１０Ａ、１０Ｂを接続している例を示すが、これに限定されるものではない。また、本実施の形態では、複数の印刷装置を特に区別しないときには、印刷装置１０として説明する。
【００２４】
図２に示すように、印刷装置１０は、ネットワークインターフェイス（Ｉ／Ｆ１４）を介して、ネットワーク１２に接続している。また、印刷装置１０は、本体制御部１６及びＩＯＴなどの印刷出力部１８を含んでおり、本体制御部１６には、画像処理部２０、ラスタ処理部２２及び処理制御部２４が形成されている。
【００２５】
これにより、印刷装置１０では、Ｉ／Ｆ１４等から画像処理部２０に入力されるデジタルデータに対して画像処理及びラスタライズを施して、印刷出力部１８から記録紙に記録して出力（印刷出力）する。
【００２６】
図１に示すように、ネットワーク１２には、パーソナルコンピュータ、ワークステーション等が情報処理端末２６（以下処理端末２６とする）として接続されている。なお、この処理端末２６には、ホストコンピュータ（ホストＰＣ）２６Ａが含まれていても良い。
【００２７】
印刷装置１０は、処理端末２６から印刷指示（印刷ジョブ）が入力されることにより、この印刷ジョブを実行（印刷処理）する。なお、印刷装置１０の基本的構成は従来公知で有り、本実施の形態では詳細な説明を省略する。
【００２８】
ところで、印刷装置１０には、スキャナユニットなどの各種の付加装置をオプションハードウエア２８（以下「ＯＨＷ２８」とする）として装着可能となっており、印刷装置１０は、ＯＨＷ２８を装着することにより、装着したＯＨＷ２８に応じて、印刷機能のみならずコピー機能、スキャナ機能、ファクシミリ機能を備えた所謂複合機となり得る。
【００２９】
すなわち、印刷装置１０Ａは、ＯＨＷ２８Ａが装着されることにより複合装置３０Ａを形成し、印刷装置１０Ｂは、ＯＨＷ２８Ｂが装着されることにより複合装置３０Ｂを形成する。なお、以下では、ＯＨＷ２８Ａ、２８Ｂを区別しないときには、ＯＨＷ２８とし、複合装置３０Ａ、３０Ｂを区別しないときには、複合装置３０として説明する。また、図１では、ＯＨＷ２８の一例を二点鎖線で示している。
【００３０】
図３に示すように、本実施の形態に適用した印刷装置１０にＯＨＷ２８を装着するときには、不揮発性メモリである機能拡張ＲＯＭ３２が装着される。すなわち、本体制御部１６には、一つの機能拡張ＲＯＭ３２を装着するスロット（図示槽略）が設けられている。
【００３１】
これにより、複合装置３０には、印刷装置１０の本体制御部１６に、ＲＡＭ３４及び本体制御用のプログラム等が格納されている本体制御ＲＯＭ３６と共に、機能拡張ＲＯＭ３２が取り付けられる。
【００３２】
図４（Ａ）に示すように、機能拡張ＲＯＭ３２には、不揮発性メモリ制御プログラムとして機能拡張メモリ制御プログラムが記憶されている。また、機能拡張ＲＯＭ３２には、複数のＯＨＷ制御プログラム（本実施例では、一例としてＯＨＷ制御プログラムＡ及びＯＨＷ制御プログラムＢを図示）が予め記憶されると共に、新たなＯＨＷ制御プログラムを格納可能な空き領域が形成されている。
【００３３】
機能拡張ＲＯＭ３２に記憶されているＯＨＷ制御プログラムは、各種のＯＨＷ２８のそれぞれに対して、印刷装置１０の機種毎に駆動するものであり、スキャナの１機種を、印刷装置１０Ａで使用可能とするためのＯＨＷ制御プログラムと印刷装置１０Ｂで使用可能とするためのＯＨＷ制御プログラムのそれぞれが予め格納されている。
【００３４】
すなわち、印刷装置１０Ａ、１０Ｂ等に装着可能として設定されているＯＨＷ２８の種類、機種毎の制御プログラムが、印刷装置１０の機種毎に作成され、機能拡張ＲＯＭ３２に予め記憶されている。
【００３５】
また、本体制御部１６には、機能拡張ＲＯＭ３２に対する制御プログラムの書込み回路が設けられており（図示省略）、機能拡張メモリ制御プログラムには、この書込み回路を用いた機能拡張ＲＯＭ３２の空き領域へのＯＨＷ制御プログラムの書込み用プログラムを含んでおり、これにより、新たなＯＨＷ制御プログラムを機能拡張ＲＯＭ３２に追加して記憶させることができるようにしている。
【００３６】
図４（Ｂ）に示すように、本体制御ＲＯＭ３６には、印刷装置１０を起動するときに各種の設定を行う起動制御プログラムに加えて、装置識別情報設定用のプログラムが記憶されており、装置識別情報設定プログラムは、起動制御プログラムによって起動されるようになっている。なお、前記した書込み用プログラムは、本体制御ＲＯＭ３６に格納されていても良い。
【００３７】
これにより、図５に示すように、印刷装置１０に、ＯＨＷ２８と共に機能拡張ＲＯＭ３２を装着した複合装置３０には、本体制御部１６に起動制御部４０及び装置識別情報設定部４２が形成される。
【００３８】
また、印刷装置１０（複合装置３０）には、機能拡張ＲＯＭ３２に記憶されているプログラムによって、機能拡張部４４が形成される。この機能拡張部４４は、機能拡張メモリ制御システム部４６及び書込み制御部４８を含んでいる。
【００３９】
起動制御部４０は、複合装置３０の電源がオンされることにより起動されて、各種の設定を行う。このときに、ＯＨＷ２８（機能拡張ＲＯＭ３２）が装着されているか否かを確認し、ＯＨＷ２８が装着されているときには、装置識別情設定部４２が起動される。
【００４０】
装置識別情報設定部１０は、元の印刷装置１０を特定するための装置識別情報を設定する。すなわち、ＯＨＷ２８として例えばスキャナを設けたとき、印刷装置１０上でこのスキャナを適正に制御するためのＯＨＷ制御プログラムは、印刷装置１０の機種等によって異なる。
【００４１】
ここから、装置識別情報設定部４２では、適正なＯＨＷ制御プログラムを選択できるように、印刷装置１０の機種等を特定可能な情報を設定する。
【００４２】
これと共に、起動制御部４０は、機能拡張メモリ制御システム部４６を起動する。また、装置識別情報設定部４２で設定された装置識別情報は、機能拡張メモリ制御システム部４６へ出力される。
【００４３】
機能拡張メモリ制御システム部４６は、装着されているＯＨＷ２８を識別して、この識別結果と、装置識別情報に基づいて、機能拡張ＲＯＭ３２に格納されている複数のＯＨＷ制御プログラムから適正なプログラムを選択する。すなわち、ＯＨＷ制御プログラムは、印刷装置１０の機種のみならず、ＯＨＷ２８の種類は勿論その機種によっても異なることがあり、これらの組み合わせに何れかのＯＨＷ制御プログラムが合致するように、機能拡張ＲＯＭ３２には、予め複数のＯＨＷ制御プログラムが記憶されている。
【００４４】
これにより、選択されたＯＨＷ制御プログラムによってＯＨＷ制御部５０が形成されることにより、複合装置３０でのＯＨＷ２８の使用が可能となる。
【００４５】
一方、印刷装置１０に適合するＯＨＷ制御プログラムが機能拡張ＲＯＭ３２に記憶されていないときには、適合するＯＨＷ制御プログラムを取得することにより、このＯＨＷ制御プログラムを、機能拡張ＲＯＭ３２の空き領域に書込み、書き込んだＯＨＷ制御プログラムに基づいて、ＯＨＷ制御部５０を構築することができるようになっている。
【００４６】
ここで、図６を参照しながら、印刷装置１０にＯＨＷ２８と機能拡張ＲＯＭ３２を装着して形成された複合装置３０におけるＯＨＷ制御部５０の設定を説明する。
【００４７】
このフローチャートは、図示しない電源スイッチがオンされと、複合装置３０の電源が投入されることにより実行され、最初のステップ１００で、装着されているＯＨＷ２８の検索を行い、ステップ１０２では、ＯＨＷ２８を検出したか否かの確認を行う。なお、ＯＨＷ２８の検索に替えて、機能拡張ＲＯＭ３２が装着されているか否かを検索するようにしても良い。
【００４８】
ここで、ＯＨＷ２８が装着されいないときには、ステップ１０２で否定判定してステップ１０４へ移行し、装置本体の起動プログラムを実行する。すなわち、印刷装置１０としての起動処理を行う。
【００４９】
一方、ＯＨＷ２８が装着されていると、ステップ１０２で肯定判定してステップ１０６へ移行し、装置識別情報設定プログラムを起動する。これにより、ステップ１０８では、元の印刷装置１０を特定可能とする装置識別情報を設定する。
【００５０】
これと共に、ステップ１１０では、機能拡張メモリ制御システム部４６を起動する。
【００５１】
これにより、次のステップ１１２では、機能拡張メモリ制御システム部４６が、装置識別情報と装着されているＯＨＷ２８に基づいて、機能拡張ＲＯＭ３２に記憶されているＯＨＷ制御プログラムの中から、装着されているＯＨＷ２８を印刷装置１０で使用するための適正なＯＨＷ制御プログラムを検索する。なお、複数のＯＨＷ２８を検出したときには、それぞれのＯＨＷ２８に対してＯＨＷ制御プログラムの検索及び次のステップ１１４以降の処理が行われる。
【００５２】
次のステップ１１４では、合致するＯＨＷ制御プログラムを記憶しているか否かを確認し、合致するＯＨＷ制御プログラムを記憶しているときには、このステップ１１４で肯定判定してステップ１１６へ移行し、このＯＨＷ制御プログラムに基づいてＯＨＷ制御部５０を構築する。
【００５３】
これにより、図７（Ａ）に示すように、例えば、印刷装置１０Ａに対して、ＯＨＷ２８Ａを装着したときに、機能拡張メモリ３２に格納しているＯＨＷ制御プログラムＡが合致するときには、このＯＨＷ制御プログラムＡを起動することにより、ＯＨＷ制御部５０Ａが構築される。
【００５４】
これにより、ＯＨＷ２８ＡがＯＨＷ制御部５０Ａによって制御され複合装置３０Ａが形成される。
【００５５】
また、図７（Ｂ）に示すように、印刷装置１０Ｂに対して、ＯＨＷ２８Ｂを装着したときに、機能拡張メモリ３２に格納しているＯＨＷ制御プログラムＢが合致するときには、このＯＨＷ制御プログラムＢを起動することにより、ＯＨＷ制御部５０Ｂが構築される。
【００５６】
これにより、ＯＨＷ２８ＢがＯＨＷ制御部５０Ｂによって制御され複合装置３０Ｂが形成される。
【００５７】
一方、図６のフローチャートにおいて、機能拡張ＲＯＭ３２に、合致するＯＨＷ制御プログラムが記憶されていないときには、ステップ１１４で否定判定し、ステップ１１８へ移行する。このステップ１１８では、例えば印刷装置１０に設けられている表示部などの図示しない表示部に、装着されているＯＨＷ２８を作動させるための適切なＯＨＷ制御プログラムを保持しておらず、ＯＨＷ２８を使用することができいない旨の報知を行う。
【００５８】
この結果として、適切なＯＨＷ制御プログラムの取得が要求されなかったときには、ステップ１２０で否定判定して、ステップ１０４へ移行することにより、印刷装置１０としてのみ作動可能となるように起動処理を行う。
【００５９】
これに対して、適正なＯＨＷ制御プログラムの取得を要求されたときには、ステップ１２０で肯定判定してステップ１２２へ移行し、ＯＨＷ制御プログラムを取得し、取得したＯＨＷ制御プログラムに基づいてＯＨＷ制御部５０を構築する（ステップ１１６）。
【００６０】
このときのＯＨＷ制御プログラムの取得は、例えば、図５に示すように、該当するＯＨＷ制御プログラムＣが、ネットワーク１２に、ネットワークインターフェイス（Ｉ／Ｆ５２）を介して接続しているホストＰＣ２６Ａ（処理端末２６を含む）の記憶装置５４に格納されているときには、この記憶装置５４から読み込むか、ホストＰＣ２６Ａが、このＯＨＷ制御プログラムＣのファイルを複合装置３０へ出力することにより機能拡張メモリ制御システム部４６に取り込む。
【００６１】
なお、ＯＨＷ制御プログラムの取得は、これらに限らず、従来公知の任意の方法を用いることができる。
【００６２】
機能拡張メモリ制御システム部４６は、新たなＯＨＷ制御プログラム（ＯＨＷ制御プログラムＣ）を取り込むと、このＯＨＷ制御プログラムを、機能拡張ＲＯＭ３２に設けている空き領域に書き込み、機能拡張ＲＯＭ３２に記憶しているＯＨＷ制御プログラムに基づいて、ＯＨＷ制御部５０の構築が可能となるようにする。
【００６３】
これにより、例えば図７（Ｃ）に示す用に、印刷装置１０ＡにＯＨＷ２８Ｂを装着したときに、このＯＨＷ２８Ｂの制御を行うのに、ＯＨＷ制御プログラムＣが必要であれば、このＯＨＷ制御プログラムＣを取得し、取得したＯＨＷ制御プログラムＣを起動して、ＯＨＷ制御部５０Ｃを構築することにより、印刷装置１０ＡとＯＨＷ２８Ｂによって複合装置３０Ｃを形成することができる。
【００６４】
このように、印刷装置１０にＯＨＷ２８を装着するときに、それぞれが異なる印刷装置１０及びＯＨＷ２８に対応する多数のＯＨＷ制御部５０を可能とする機能拡張ＲＯＭ３２を装着する。これにより、種類や機種の異なるＯＨＷ２８を印刷装置１０に装着するときにも、この一つの機能拡張ＲＯＭ３２によって装着したＯＨＷ２８の制御が可能となる。
【００６５】
また、印刷装置１０に複数のＯＨＷ２８を装着して多機能の複合装置３０を形成するときにも、この機能拡張ＲＯＭ３２を一つだけ装着しておくことにより、印刷装置１０に装着した複数のＯＨＷ２８のそれぞれを適正に動作させることができる。
【００６６】
なお、以上説明した本実施の形態は、本発明の一例を示すものであり、本発明の構成を限定するものではない。本発明の画像形成装置は、記録紙に画像を形成して出力する印刷装置１０に限らず、任意の画像形成媒体に画像を形成する画像形成装置に適用可能である。
【００６７】
【発明の効果】
以上説明したように本発明によれば、一つの不揮発性メモリによって複数の付加装置を作動することができる。また、一種類の不揮発性メモリによって複数の画像形成装置のそれぞれで付加装置を作動することができると言う優れた効果が得られる。
【００６８】
また、請求項２及び請求項３の発明では、電源投入時などにおいて付加装置を自動的に作動可能とすることができる。さらに、請求項４の発明では、新たな付加装置を装着したときにも、既に装着している不揮発性メモリを用いて、付加装置を適正に作動させることができる。
【図面の簡単な説明】
【図１】本実施の形態に適用した印刷装置を設けたネットワークを示す概略図である。
【図２】本実施の形態に画像形成装置として適用した印刷装置の概略構成図である。
【図３】印刷装置にＯＨＷと機能拡張ＲＯＭを装着した複合装置の概略図である。
【図４】（Ａ）は機能拡張ＲＯＭの要部の記憶マップを示す概略図、（Ｂ）は本体制御ＲＯＭの要部の記憶マップを示す概略図である。
【図５】印刷装置から形成した複合装置の概略構成図である。
【図６】複合装置での起動処理の概略を示す流れ図である。
【図７】（Ａ）から（Ｃ）のそれぞれは、印刷装置とＯＨＷに応じた複合装置の形成例を示す概略図である。
【符号の説明】
１０（１０Ａ、１０Ｂ）    印刷装置（画像形成装置）
１６    本体制御部
１８    印刷出力部
２８（２８Ａ、２８Ｂ）    ＯＨＷ（付加装置）
３０（３０Ａ、３０Ｂ、３０Ｃ）    複合装置
３２    機能拡張ＲＯＭ（不揮発性メモリ）
４０    起動制御部（起動手段、検出手段）
４２    装置識別情報設定部（装置識別情報設定手段）
４４    機能拡張部
４６    機能拡張メモリ制御システム部（選択手段、取得手段）
４８    書込み制御部（書込み手段）
５０（５０Ａ、５０Ｂ、５０Ｃ）    ＯＨＷ制御部（付加装置制御手段）
【図１】
2004284272.tif 000003
【図２】
2004284272.tif 000004
【図３】
2004284272.tif 000005
【図４】
2004284272.tif 000006
【図５】
2004284272.tif 000007
【図６】
2004284272.tif 000008
【図７】
2004284272.tif 000009